(57)【要約】【課題】非接触ＩＣメディアの情報を読み書きする際の処理の未完了により発生する不整合を軽減する非接触ＩＣシステム及び非接触ＩＣメディアを提供することを目的としている。【解決手段】読み書き可能なＩＣチップを有する非接触ＩＣメディアと、前記ＩＣチップとの間で非接触状態で通信可能な非接触型リーダライタと、を備え、前記非接触ＩＣメディアは、前記非接触型リーダライタにより前記ＩＣチップとの間での通信が完了したか否かを報知する報知部を備えている。【選択図】図８
2013218673.tif 000002
【特許請求の範囲】
【請求項１】
読み書き可能なＩＣチップを有する非接触ＩＣメディアと、
前記ＩＣチップとの間で非接触状態で通信可能な非接触型リーダライタと、
を備え、
前記非接触ＩＣメディアは、
前記非接触型リーダライタにより前記ＩＣチップとの間で実施される処理が完了したか否かを報知する報知部を備えている
ことを特徴とする非接触ＩＣシステム。
【請求項２】
前記報知部は、
前記非接触型リーダライタにより前記ＩＣチップとの間で実施される処理が完了する前と、完了した後とで、点灯状態を異なるように報知する
ことを特徴とする請求項１に記載の非接触ＩＣシステム。
【請求項３】
前記報知部は、
前記非接触型リーダライタにより前記ＩＣチップとの間で実施される処理が完了する前と、完了した後とで、点灯色が異なるように報知する
ことを特徴とする請求項２に記載の非接触ＩＣシステム。
【請求項４】
前記報知部は、
前記非接触型リーダライタにより前記ＩＣチップとの間で実施される処理が完了した後、点灯する
ことを特徴とする請求項２に記載の非接触ＩＣシステム。
【請求項５】
前記報知部は、
前記非接触型リーダライタにより前記ＩＣチップとの間で実施される処理が完了した後、消灯する
ことを特徴とする請求項２に記載の非接触ＩＣシステム。
【請求項６】
前記報知部は、前記非接触型リーダライタからの搬送波に基づく電流を用いて、駆動する
ことを特徴とする請求項１から請求項５のいずれかに記載の非接触ＩＣシステム。
【請求項７】
前記非接触ＩＣメディアは、前記非接触型リーダライタからの搬送波に基づく電流を用いて、充電可能な電源部を備え
前記報知部は、
前記電源部に充電されている電力を用いて駆動する
ことを特徴とする請求項１から請求項５のいずれかに記載の非接触ＩＣシステム。
【請求項８】
請求項１〜７のいずれかにおいて、
前記非接触型リーダライタと前記ＩＣチップとの間での通信される情報は少なくとも金額を含む情報であることを特徴とする非接触ＩＣシステム。
【請求項９】
読み書き可能なＩＣチップを有する非接触ＩＣメディアであって、
前記ＩＣチップとの間で非接触状態で通信可能な非接触型リーダライタによる、前記非接触型リーダライタとの間で実施される処理が完了したか否かを報知する報知部と、
前記非接触型リーダライタからの搬送波に基づく電流を用いて、前記報知部に電流を供給することが可能な電源部と、
を備えることを特徴とする非接触ＩＣメディア。
【請求項１０】
読み書き可能なＩＣチップを有する非接触ＩＣメディアであって、
前記ＩＣチップとの間で非接触状態で通信可能な非接触型リーダライタからの搬送波に基づく電流を用いて、充電可能な電源部と、
前記非接触型リーダライタによる、前記非接触型リーダライタとの間で実施される処理が完了したか否かを報知する報知部と
を備え
前記報知部は、
前記電源部に充電されている電力を用いて、駆動する
ことを特徴とする非接触ＩＣメディア。
【請求項１１】
前記読み書き可能なＩＣチップには、少なくとも金額を含むバリュー情報が保持されている
ことを特徴とする請求項９または請求項１０に記載の非接触ＩＣメディア。
【発明の詳細な説明】
【技術分野】
【０００１】
本発明は、非接触ＩＣシステム及び非接触ＩＣメディアに関する。
【背景技術】
【０００２】
近年、キャッシュレス化の進展や電子マネーの普及に伴い、読み書き可能なＩＣ（Ｉｎｔｅｇｒａｔｅｄ  Ｃｉｒｃｕｉｔ）チップを有するプリペイド式（料金先払い）の非接触ＩＣメディアを利用して、商品やサービスの提供に伴う決済処理を行うシステムが普及している（例えば、特許文献１及び２参照）。
【０００３】
図１３は、このようなプリペイド式の非接触ＩＣメディア８０１を利用した決済処理のフローを示したシーケンス図である。ここで、決済処理を行う決済装置８００は、決済処理を制御する決済制御部８１０と、非接触ＩＣメディア８０１と通信を行う非接触型リーダライタ８２０と、を含んで構成される。なお、決済装置８００には、あらかじめ決済金額が入力されている。
【０００４】
決済制御部８１０は、決済処理を開始すると、カード検知要求コマンドを非接触型リーダライタ８２０に出力する（ステップＳ９０１）。非接触型リーダライタ８２０は、入力されたカード検知要求コマンドを非接触ＩＣメディア８０１へ送信してカードの検知を開始する（ステップＳ９０２）。
【０００５】
非接触ＩＣメディア８０１が非接触型リーダライタ８２０にかざされると、非接触ＩＣメディア８０１から非接触型リーダライタ８２０にカード検知コマンドレスポンスが送信される（ステップＳ９０３）。カード検知コマンドレスポンスを受信すると、非接触型リーダライタ８２０は、そのカード検知コマンドレスポンスを決済制御部８１０に出力する（ステップＳ９０４）。カード検知コマンドレスポンスが入力されると、決済制御部８１０は、次に残高情報の取得処理を行う。つまり、決済制御部８１０は、カード残高情報取得要求コマンドを非接触型リーダライタ８２０へ出力する（ステップＳ９０５）。カード残高情報取得要求コマンドが入力されると、非接触型リーダライタ８２０は、非接触ＩＣメディア８０１へそのカード残高情報取得要求コマンドを送信する（ステップＳ９０６）。
【０００６】
カード情報取得要求コマンドを受信すると、非接触ＩＣメディア８０１は、残高情報を非接触型リーダライタ８２０に送信する（ステップＳ９０７）。残高情報には、決済可能な金額である残高金額等が含まれる。非接触型リーダライタ８２０は、その残高情報を決済制御部８１０に出力する（ステップＳ９０８）。
【０００７】
決済制御部８１０は、残高情報が入力されると、減算可否判断を行う（ステップＳ９０９）。具体的には、決済制御部８１０は、受信した残高金額が決済金額より大きいか否かを判定する。決済制御部８１０は、残高金額と等しいか、または残高金額の方が大きい場合には残高金額から決済金額を減算して、決済後の残高金額を算出する（ステップＳ９１０）。小さい場合には、決済処理を終了する。次に、決済制御部８１０は、算出した残高金額を含む減算結果書き込み要求コマンドを非接触型リーダライタ８２０に出力する（ステップＳ９１１）。
【０００８】
非接触型リーダライタ８２０は、入力された減算結果書き込み要求コマンドを非接触ＩＣメディア８０１に送信する（ステップＳ９１２）。非接触ＩＣメディア８０１は、受信した残高金額をＩＣチップに書き込み、書き込みが完了すると、書き込み完了コマンドレスポンスを非接触型リーダライタ８２０に送信する（ステップＳ９１３）。非接触型リーダライタ８２０は、その書き込み完了コマンドレスポンスを決済制御部８１０に出力する（ステップＳ９１４）。
【０００９】
書き込み完了コマンドレスポンスが入力されると、決済制御部８１０は、非接触ＩＣメディア８０１のＩＣチップに書き込まれた結果を確認するために、カード残高情報取得要求コマンドを非接触型リーダライタ８２０に出力する（ステップＳ９１５）。カード残高情報取得要求コマンドが入力されると、非接触型リーダライタ８２０は、そのカード残高情報取得要求コマンドを非接触ＩＣメディア８０１に送信する（ステップＳ９１６）。非接触ＩＣメディア８０１は、カード残高情報取得要求コマンドを受信すると、残高情報を送信する（ステップＳ９１７）。非接触ＩＣメディア８０１から残高情報を受信すると、非接触型リーダライタ８２０は、その残高情報を決済制御部８１０に出力する（ステップＳ９１８）。残高情報が入力されると、決済制御部８１０は、残高確認を行う（ステップＳ９１９）。具体的には、決済制御部８１０は、入力された残高金額と上記ステップＳ９１０で算出した残高金額が等しいか否かの判定を行う。等しい場合には、正常に処理が完了したと判定し、決済処理を完了する（ステップＳ９２０）。
【先行技術文献】
【特許文献】
【００１０】
【特許文献１】特開平１０−２３２９６５号公報
【特許文献２】特開平１０−２８３５３４号公報
【発明の概要】
【発明が解決しようとする課題】
【００１１】
しかしながら、特許文献１及び２に記載された技術では、決済処理中に非接触ＩＣメディア８０１が非接触型リーダライタ８２０から取り外されるなどして、非接触ＩＣメディア８０１と非接触型リーダライタ８２０との通信が切断された場合、決済金額の不整合が起こる、という問題がある。例えば、決済装置８００は決済処理を完了と判断しても、非接触ＩＣメディア８０１では残高金額が減算されていないという不整合が起こりえる。或いは、決済装置８００では、決済処理が未完了な状態でも、非接触ＩＣメディア８０１では残高金額が減算されているという不整合が起こりえる。また、特許文献１及び２に記載された技術では、決済装置８００が非接触ＩＣメディア８０１の残高金額を読み取らなければ決済処理を行えないため、非接触ＩＣメディア８０１の保持者が好むと好まざるに関わらず、決済装置８００に一旦その残高金額を読み取られてしまう。このため、非接触ＩＣメディア８０１の保持者の所有金額情報をＣＲＭ（Ｃｕｓｔｏｍｅｒ  Ｒｅｌａｔｉｏｎｓｈｉｐ  Ｍａｎａｇｅｍｅｎｔ）のデータ等に使用される可能性があり、プライバシー上の懸念がある、という問題がある。
本発明は上記の点に鑑みてなされたものであり、その目的は、非接触ＩＣ処理による決済処理の不整合の発生を軽減する非接触ＩＣシステム及び非接触ＩＣメディアを提供することにある。
【課題を解決するための手段】
【００１２】
上記目的を達成するため、本発明の一態様に係る非接触ＩＣシステムは、読み書き可能なＩＣチップを有する非接触ＩＣメディアと、前記ＩＣチップとの間で非接触状態で通信可能な非接触型リーダライタと、を備え、前記非接触ＩＣメディアは、前記非接触型リーダライタにより前記ＩＣチップとの間で実施される処理が完了したか否かを報知する報知部を備えていることを特徴としている。
【００１３】
また、本発明の非接触ＩＣシステムにおいて、前記報知部は、前記非接触型リーダライタにより前記ＩＣチップとの間で実施される処理が完了する前と、完了した後とで、点灯状態を異なるように報知するようにしてもよい。
【００１４】
また、本発明の非接触ＩＣシステムにおいて、前記報知部は、前記非接触型リーダライタにより前記ＩＣチップとの間で実施される処理が完了する前と、完了した後とで、点灯色が異なるように報知するようにしてもよい。
【００１５】
また、本発明の非接触ＩＣシステムにおいて、前記報知部は、前記非接触型リーダライタにより前記ＩＣチップとの間で実施される処理が完了した後、点灯するようにしてもよい。
【００１６】
また、本発明の非接触ＩＣシステムにおいて、前記報知部は、前記非接触型リーダライタにより前記ＩＣチップとの間で実施される処理が完了した後、消灯するようにしてもよい。
【００１７】
また、本発明の非接触ＩＣシステムにおいて、前記報知部は、前記非接触型リーダライタからの搬送波に基づく電流を用いて、駆動するようにしてもよい。
【００１８】
また、本発明の非接触ＩＣシステムにおいて、前記非接触型リーダライタからの搬送波に基づく電流を用いて、充電可能な電源部を備え、前記報知部は、前記電源部に充電されている電力を用いて、駆動するようにしてもよい。
【００１９】
また、本発明の非接触ＩＣシステムにおいて、前記非接触型リーダライタと前記ＩＣチップとの間での通信される情報は少なくとも金額を含む情報であることを特徴としてもよい。
【００２０】
また、本発明の非接触ＩＣメディアは、読み書き可能なＩＣチップを有する非接触ＩＣメディアであって、前記ＩＣチップとの間で非接触状態で通信可能な非接触型リーダライタによる、前記非接触型リーダライタとの間で実施される処理が完了したか否かを報知する報知部と、前記非接触型リーダライタからの搬送波に基づく電流を用いて、前記報知部に電流を供給することが可能な電源部と、を備えることを特徴としている。
【００２１】
また、本発明の非接触ＩＣメディアは、読み書き可能なＩＣチップを有する非接触ＩＣメディアであって、前記ＩＣチップとの間で非接触状態で通信可能な非接触型リーダライタからの搬送波に基づく電流を用いて、充電可能な電源部と、前記非接触型リーダライタによる、前記非接触型リーダライタとの間で実施される処理が完了したか否かを報知する報知部とを備え、前記報知部は、前記電源部に充電されている電力を用いて、駆動することを特徴としている。
【００２２】
また、本発明の非接触ＩＣメディアは、前記読み書き可能なＩＣチップには、少なくとも金額を含むバリュー情報が保持されていることを特徴としてもよい。
【発明の効果】
【００２３】
本発明によれば、非接触ＩＣ処理による決済処理の不整合の発生を軽減する非接触ＩＣシステム及び非接触ＩＣメディアを提供することができる。
【図面の簡単な説明】
【００２４】
【図１】第１実施形態および第２実施形態に係る情報読み取りシステムの概略構成を表すシステム構成図
【図２】第１実施形態および第２実施形態に係る非接触型リーダライタのブロック図である。
【図３】第１実施形態に係る非接触ＩＣメディアに取り付けられている回路部のブロック図である。
【図４】第１実施形態に係る報知制御部の一例を説明する図である。
【図５】第１実施形態に係る非接触型リーダライタと非接触ＩＣメディアに取り付けられている回路部との間で行う処理のシーケンス図である。
【図６】第１実施形態に係る非接触型リーダライタの制御部と非接触ＩＣメディアに取り付けられている回路部の制御部との間で行う処理のシーケンス図である。
【図７】第１実施形態に係る非接触型リーダライタの制御部と非接触ＩＣメディアに取り付けられている回路部の制御部との間で行う処理のシーケンス図である。
【図８】第２実施形態に係る非接触ＩＣメディアに取り付けられている回路部のブロック図である。
【図９】第２実施形態に係る報知制御部の一例を説明する図である。
【図１０】第２実施形態に係る非接触型リーダライタと非接触ＩＣメディアに取り付けられている回路部との間で行う処理のシーケンス図である。
【図１１】第２実施形態に係る非接触型リーダライタの制御部と非接触ＩＣメディアに取り付けられている回路部の制御部との間で行う処理のシーケンス図である。
【図１２】第２実施形態に係る非接触型リーダライタの制御部と非接触ＩＣメディアに取り付けられている回路部の制御部との間で行う処理のシーケンス図である。
【図１３】従来の決済処理例を表すシーケンス図である。
【発明を実施するための形態】
【００２５】
（第１実施形態）
以下、本発明の実施形態について図面を参照しながら説明する。
図１は、本発明の一実施の形態である非接触ＩＣシステムを利用した電子マネー決済システムのシステム構成図である。電子マネーをバリューとして記憶する非接触ＩＣメディア３と非接触型リーダライタ装置２は非接触状態で通信する。非接触型リーダライタ装置２と電子マネー決済を制御する上位装置１は主に有線により接続されている。図１では非接触型リーダライタ装置２と上位装置１は別の装置として書かれているが、これらの機能を持つ装置が同一筐体内に存在する実施の形態をとることもできる。
上位装置１は通信回線６に接続されている。この回線は決済処理サーバ４や決済情報サーバ５と通信するための回線であり、公衆回線、専用回線やインターネット等によっても構成可能である。この通信回線には決済処理サーバ４や決済情報サーバ５が接続されている。
【００２６】
図２は、同実施の形態における非接触型リーダライタ装置２の主要部の構成を示すブロック図である。図２に示すように、非接触型リーダライタ装置２は、入力部１０１、アンテナ部１０２、送信回路部１０７、受信回路部１０８、制御回路部１０４、表示部１０５を備えている。
【００２７】
入力部１０１は、例えば、１０キー（数字キー）、決済指示キー、残額照会キー、キャンセルキー、及びプリント指示キーなどである。
アンテナ部１０２は、非接触ＩＣメディア３に取り付けられている回路部２００と通信を行うアンテナであり、ループアンテナ等によって構成される。
【００２８】
送信回路部１０７は、搬送波を生成する。搬送波は、例えば、周波数が１３．５６［ＭＨｚ］の電波である。送信回路部１０７は、アンテナ部１０２を介して、制御回路部１０４が出力したコマンドを搬送波に重畳して、非接触ＩＣメディア３の回路部２００へ送信する。ここで、コマンドは、例えば、搬送波の振幅を入力符号に対応させて変化させる振幅偏移変調され無線通信される。
【００２９】
次に、非接触ＩＣメディア３の中に構成されている回路部２００について説明する。本実施形態に係る回路部２００は、蓄電機能部を備えている。
図３は、本実施形態に係る非接触ＩＣメディア３の中に構成されている回路部２００のブロック図である。図３に示すように、回路部２００は、アンテナ部２０１、非接触通信回路部２０２、制御部２０３、記憶部２０４、報知制御部２０５、報知部２０６、電源制御部２０７、蓄電機能部２０８を備えている。
【００３０】
アンテナ部２０１は、非接触型リーダライタ装置２と通信を行うアンテナであり、例えば、ループアンテナ等によって構成される。
非接触通信回路部２０２は、アンテナ部２０１を介して受信した搬送波からコマンドを抽出し、抽出したコマンドを制御部２０３に出力する。非接触通信回路部２０２は、受信した搬送波を整流して直流電流を生成する。受信した搬送波を整流して直流電流するため、例えば、アンテナ部２０１と非接触通信回路部２０２とでレクテナ（ｒｅｃｔｅｎｎａ）回路を構成するようにしてもよい。非接触通信回路部２０２は、生成した直流電流を、電源制御部２０７に供給する。非接触通信回路部２０２は、搬送波を生成する。非接触通信回路部２０２は、制御部２０３が出力したＩＣチップの持つ情報を、生成した搬送波に重畳してアンテナ２０１を介して非接触型リーダライタ装置２へ送信する。
【００３１】
報知部２０６が例えばＬＥＤの場合、報知制御部２０５は、制御部２０３が出力した切り替え信号に基づいて、報知部２０６を点灯または消灯するように制御する。または、報知部２０６が、例えば２色ＬＥＤの場合、報知制御部２０５は、制御部２０３が出力した切り替え信号に基づいて、ＬＥＤの点灯する色が変化するように制御する。
報知部２０６は、報知制御部２０５の制御に応じて、点灯または消灯する。本実施形態では、報知部２０６は、例えば２色ＬＥＤである。
【００３２】
電源制御部２０７は、非接触通信回路部２０２が生成した直流電流を、制御部２０３、及び記憶部２０４に供給する。
蓄電機能部２０８は、スーパキャパシタのようなコンデンサー型の蓄電池や、ボタン型の二次電池を用いることができる。蓄電機能部２０８は、直流電流を報知制御部２０５、及び報知部２０６に供給する。
【００３３】
図４は、本実施形態に係る報知制御部２０５の一例を説明する図である。図４に示すように、報知制御部２０５は、駆動回路２１０を含んで構成されている。駆動回路２１０は、例えばトランジスタである。駆動回路２１０には、制御部２０３が出力した切り替え信号が入力される。駆動回路２１０は、切り替え信号によりオン状態またはオフ状態に切り替わる。この切り替えに応じて、報知部２０６は、電流が流れて点灯状態と消灯状態とが切り替わる。具体的には、駆動回路２１０がオン状態で報知部２０６が点灯状態となり、駆動回路２１０がオフ状態で報知部２０６が消灯状態となる。なお、報知部２０６がＬＥＤの場合、電流を制御するための抵抗が接続されているが、図４では省略して表している。
【００３４】
以上、説明したように、本実施形態の非接触ＩＣシステムにおいては読み書き可能な非接触ＩＣメディア３と、非接触ＩＣメディア３の情報を読み取る非接触型リーダライタ装置２と、を備え、非接触ＩＣメディア３は、非接触型リーダライタ装置２と協働する処理が完了したか（例えば、非接触型リーダライタ装置２により情報が読み取られ、読み取った情報に基づく処理（ここでは決済に関する処理）が完了したか否か）を報知する報知部２０６を備えている。
【００３５】
次に、非接触型リーダライタ装置２と非接触ＩＣメディア３に取り付けられている回路部２００が行う処理について説明する。
図５は、本実施形態に係る非接触型リーダライタ装置２と非接触ＩＣメディア３に取り付けられている回路部２００との間で行う処理のシーケンス図である。なお、非接触型リーダライタ装置２が、非接触ＩＣメディア３の情報を読み取る前、報知部２０６は赤色に点灯しているものとする。
【００３６】
（ステップＳ３０１）非接触型リーダライタ装置２の制御部１０４は、非接触ＩＣメディア３に取り付けられている回路部２００（以下、便宜上、非接触ＩＣメディア３に取り付けられている回路部２００を含めて、非接触ＩＣメディア３という）に対して「カード検知要求コマンド」を送信する。
（ステップＳ３０２）非接触ＩＣメディア３に取り付けられている回路部２００の制御部２０３（以下、非接触ＩＣメディア３の制御部２０３という）は、非接触型リーダライタ装置２からのコマンドを受信する。次に、制御部２０３は、受信したコマンドの種類を判別する。
【００３７】
（ステップＳ３０３）ステップＳ３０２で、受信したコマンドが「カード検知要求コマンド」の場合、非接触ＩＣメディア３の制御部２０３は、応答レスポンスの返送を判断する。
（ステップＳ３０４）非接触ＩＣメディア３の制御部２０３、「カード検知応答」をレスポンスとして非接触型リーダライタ装置２に送信する。
【００３８】
（ステップＳ３０５）非接触型リーダライタ装置２の制御部１０４は、非接触ＩＣメディア３からのカード検知応答の情報を受信する。次に、制御部１０４は、受信したカード検知応答の情報に含まれるデータを検査する。
【００３９】
制御部１０４は、例えば、受信したカード検知応答の情報から、非接触ＩＣメディア３が処理可能な種類のメディアであるかどうかを判別する。
【００４０】
（ステップＳ３０６）非接触型リーダライタ装置２の制御部１０４は、非接触ＩＣメディア３の情報の読み取りが完了したため、）非接触ＩＣメディア３に青ＬＥＤの点灯を指示するコマンド「青ＬＥＤ  ＯＮコマンド」を送信する。
【００４１】
（ステップＳ３０７）非接触ＩＣメディア３の制御部２０３は、非接触型リーダライタ装置２からのコマンドを受信する。次に、制御部２０３は、受信したコマンドの種類を判別する。
（ステップＳ３０８）非接触ＩＣメディア３の制御部２０３は、受信したコマンドが「青ＬＥＤ  ＯＮコマンド」の場合、報知部２０６を青色に点灯するように制御する。
（ステップＳ３０９）非接触ＩＣメディア３の制御部２０３は、報知部２０６を青色に点灯させた後、コマンドを実行したことを示す情報「ＯＫ」を、非接触型リーダライタ装置２に送信する。なお、制御部２０３は、コマンドを実行したことを示す情報として、例えば、肯定応答であるＡＣＫ（ＡＣＫｎｏｗｌｅｄｇｅｍｅｎｔ）信号を、非接触型リーダライタ装置２に送信するようにしてもよい。
【００４２】
なお、ステップＳ３０１〜Ｓ３０９では、非接触型リーダライタ装置２が、非接触ＩＣメディア３の情報を読み取る前に、報知部２０６を赤色に点灯させておく例を説明したがこれに限られない。例えば、非接触ＩＣメディア３の情報を読み取る前に、報知部２０６を消灯させておき、非接触型リーダライタ装置２からのコマンドに応じて、報知部２０６を点灯させるようにしてもよい。この場合、非接触型リーダライタ装置２の制御部１０４は、ステップＳ３０６（図５）において、ＬＥＤの点灯を指示するコマンド「ＬＥＤ  ＯＮコマンド」を、非接触ＩＣメディア３に送信する。非接触ＩＣメディア３の制御部２０３は、受信したコマンドに応じて、ＬＥＤを点灯させるようにしてもよい（ステップＳ３０８、図５）。
【００４３】
或いは、非接触ＩＣメディア３の情報を読み取る前に、報知部２０６を点灯させておき、非接触型リーダライタ装置２からのコマンドに応じて、報知部２０６を消灯させるようにしてもよい。この場合、非接触型リーダライタ装置２の制御部１０４は、ステップＳ３０６（図５）において、ＬＥＤの消灯を指示するコマンド「ＬＥＤ  ＯＦＦコマンド」を、非接触ＩＣメディア３に送信する。非接触ＩＣメディア３の制御部２０３は、受信したコマンドに応じて、ＬＥＤを消灯させるようにしてもよい（ステップＳ３０８、図５）。
【００４４】
次に、非接触型リーダライタ装置２による非接触ＩＣメディア３の情報の読み取り処理について説明する。図６及び図７は、非接触型リーダライタ装置２の制御部１０４と非接触ＩＣメディア３の制御部２０３との間の処理のフロー説明するためのシーケンスであり、ここではプリペイド式の決済処理を例に説明する。
【００４５】
ここで、決済処理を行う決済装置５１は、決済処理を制御する上位装置１と、非接触ＩＣメディア３と通信を行う非接触型リーダライタ２と、を含んで構成される。なお、決済装置８００には、あらかじめ決済金額が入力されている。
【００４６】
まず、図６において、上位装置１は、決済処理を開始すると、カード検知要求コマンドを非接触型リーダライタ２に出力する（ステップＳ４０１）。非接触型リーダライタ２は、入力されたカード検知要求コマンドを非接触ＩＣメディア３へ送信してカードの検知を開始する（ステップＳ４０２）。
【００４７】
非接触ＩＣメディア３が非接触型リーダライタ２にかざされると、非接触ＩＣメディア３の制御部２０３は、非接触型リーダライタ装置２からのコマンドを受信する。次に、制御部２０３は、受信したコマンドの種類を判別する（ステップＳ４５１）。ステップＳ４５１で、受信したコマンドが「カード検知要求コマンド」であることを非接触ＩＣメディア３の制御部２０３は判別し、処理の開始を判断し、報知部２０６の初期化を行う（Ｓ４５２）。ここでは報知部２０６が初期化されるとＬＥＤが赤色に点灯することとする。
【００４８】
さらに、非接触ＩＣメディア３から非接触型リーダライタ２にカード検知コマンドレスポンスが送信される（ステップＳ４０３）。カード検知コマンドレスポンスを受信すると、非接触型リーダライタ２は、そのカード検知コマンドレスポンスを上位装置１に出力する（ステップＳ４０４）。カード検知コマンドレスポンスが入力されると、上位装置１は、次に残高情報の取得処理を行う。つまり、上位装置１は、カード残高情報取得要求コマンドを非接触型リーダライタ２へ出力する（ステップＳ４０５）。カード残高情報取得要求コマンドが入力されると、非接触型リーダライタ２は、非接触ＩＣメディア３へそのカード残高情報取得要求コマンドを送信する（ステップＳ４０６）。
【００４９】
カード情報取得要求コマンドを受信すると、非接触ＩＣメディア３の制御部２０３は、受信したコマンドの種類を判別する（ステップＳ４５３）。ステップＳ４５３で、受信したコマンドが「カード残高情報取得要求コマンド」であることを非接触ＩＣメディア３の制御部２０３は判別し、処理が継続中であることを判断し、報知部２０６を保留する（Ｓ４５４）。そして非接触ＩＣメディア３は、残高情報を非接触型リーダライタ２に送信する（ステップＳ４０７）。残高情報には、決済可能な金額である残高金額等が含まれる。非接触型リーダライタ２は、その残高情報を上位装置１に出力する（ステップＳ４０８）。
【００５０】
次に、図７を参照するが、図６における上位装置１、非接触型リーダライタ２、非接触ＩＣメディア３の処理は、それぞれ、図７におけるＡ、Ｂ、Ｃに続くものとする。
上位装置１は、残高情報が入力されると、減算可否判断を行う（ステップＳ４０９）。具体的には、上位装置１は、受信した残高金額が決済金額より大きいか否かを判定する。上位装置１は、残高金額と等しいか、または残高金額の方が大きい場合には残高金額から決済金額を減算して、決済後の残高金額を算出する（ステップＳ４１０）。小さい場合には、決済処理を終了する。次に、上位装置１は、算出した残高金額を含む減算結果書き込み要求コマンドを非接触型リーダライタ２に出力する（ステップＳ４１１）。
【００５１】
非接触型リーダライタ２は、入力された減算結果書き込み要求コマンドを非接触ＩＣメディア３に送信する（ステップＳ４１２）。非接触ＩＣメディア３の制御部２０３は、受信したコマンドの種類を判別する（ステップＳ４５５）。ステップＳ４５５で、受信したコマンドが「減算結果書き込みコマンド」であることを非接触ＩＣメディア３の制御部２０３は判別し、処理が継続中であることを判断し、報知部２０６を保留する（Ｓ４５４）。そして受信した残高金額を回路部２００の記憶部２０４に書き込み、書き込みが完了すると、書き込み完了コマンドレスポンスを非接触型リーダライタ２に送信する（ステップＳ４１３）。非接触型リーダライタ２は、その書き込み完了コマンドレスポンスを上位装置１に出力する（ステップＳ４１４）。
【００５２】
書き込み完了コマンドレスポンスが入力されると、上位装置１は、非接触ＩＣメディア３の回路部２００の記憶部２０４に書き込まれた結果を確認するために、カード残高情報取得要求コマンドを非接触型リーダライタ２に出力する（ステップＳ４１５）。カード残高情報取得要求コマンドが入力されると、非接触型リーダライタ２は、そのカード残高情報取得要求コマンドを非接触ＩＣメディア３に送信する（ステップＳ４１６）。
【００５３】
非接触ＩＣメディアの制御部２０３は、受信したコマンドの種類を判別する（ステップＳ４５７）。ステップＳ４５７で、受信したコマンドが「減算結果書き込みコマンド」の後の「カード残高情報取得要求コマンド」であることを非接触ＩＣメディア３の制御部２０３は判別し、処理が完了したことを判断し、報知部２０６の報知を変化させる（Ｓ４５８）。
ここでは処理が完了すると報知部２０６のＬＥＤは青色に点灯することとする。そして、非接触ＩＣメディア３は、残高情報を送信する（ステップＳ４１７）。非接触ＩＣメディア３から残高情報を受信すると、非接触型リーダライタ２は、その残高情報を上位装置１に出力する（ステップＳ４１８）。残高情報が入力されると、上位装置１は、残高確認を行う（ステップＳ４１９）。具体的には、上位装置１は、入力された残高金額と上記ステップＳ４１０で算出した残高金額が等しいか否かの判定を行う。等しい場合には、正常に処理が完了したと判定し、決済処理を完了する（ステップＳ４２０）。
【００５４】
以上のように、非接触ＩＣメディア３の報知部２０６により、非接触ＩＣメディア３内部の処理完了が報知されるため、決済処理中に非接触ＩＣメディア３が非接触型リーダライタ２から取り外されるなどして、非接触ＩＣメディア３と非接触型リーダライタ２との通信が切断された場合においても、非接触ＩＣメディア３内部の処理が完了しているかどうかを確認することができ、決済金額の不整合の発生が起きているかどうかを知ることができる。
【００５５】
なお、ここでは報知部は初期化されるとＬＥＤを赤色に点灯させ、処理が完了するとＬＥＤを青色に点灯させた例を説明したがこれに限らない。例えば、初期化時に消灯させ完了時に点灯させるようにさせても良いし、初期化時に点灯させ完了時に消灯させるようにさせても良い。また、ＬＥＤ色にも限定はない。
【００５６】
また、本実施形態では、報知部２０６に二次電池からなる蓄電機能部２０８から電流を供給しているため、所定の時間が経過すれば蓄電機能部２０８に充電されていた電流は放電される。このため、報知部の初期化は行っても、行わなくてもよい。
【００５７】
なお、実施形態の説明では、決済処理を例に説明したが、これに限定されるものではない。例えば、定期券、ポイントカード、会員証、社員証等の処理であってもよい。すなわち、非接触ＩＣメディア３に記憶されている情報として、金額に関する情報の他、定期券に関する情報、ポイント情報、会員情報、社員情報等であってもよく、そのような情報を、非接触ＩＣメディア３と非接触型リーダライタ２との間で送受し、非接触型リーダライタ２が何らかの処理を実施する際にも、処理の完了を非接触ＩＣメディア３に報知させるため、本発明を適用することができる。
また、本実施形態の図２、図３の機能の全て、もしくは一部を、図示しないＣＰＵ（中央演算装置）に接続されたＲＯＭ（Ｒｅａｄ  Ｏｎｌｙ  Ｍｅｍｏｒｙ）等に保存されているプログラムにより実行することも可能である。
【００５８】
（第２実施形態）
第１実施形態では、非接触ＩＣメディア３の中に構成されている回路部２００が、二次電池からなる蓄電機能部２０８を備えている例を説明した。本実施形態では、図８の回路部５００の電源制御部５０７は、非接触通信回路部５０２がアンテナ部５０１を介して搬送波を受信しているときに生成した直流電流の供給を受けているときだけ報知制御部５０５および報知部５０６に電源の供給が行われる例を説明する。なお、非接触型リーダライタ装置２の構成は、第１実施形態の図２と同様であり、非接触ＩＣメディア３に取り付けられている回路部５００の構成のみが異なる。
【００５９】
次に、非接触ＩＣメディア３に取り付けられている回路部５００について説明する。
図８は、本実施形態に係る非接触ＩＣメディア３の中に構成されている回路部５００のブロック図である。図３に示すように、回路部５００は、アンテナ部５０１、非接触通信回路部５０２、制御部５０３、記憶部５０４、報知制御部５０５、報知部５０６、電源制御部５０７を備えている。
【００６０】
アンテナ部５０１は、非接触型リーダライタ装置２と通信を行うアンテナであり、例えば、ループアンテナ等によって構成される。
非接触通信回路部５０２は、アンテナ部５０１を介して受信した搬送波からコマンドを抽出し、抽出したコマンドを制御部５０３に出力する。非接触通信回路部５０２は、受信した搬送波を整流して直流電流を生成する。受信した搬送波を整流して直流電流するため、例えば、アンテナ部５０１と非接触通信回路部５０２とでレクテナ（ｒｅｃｔｅｎｎａ）回路を構成するようにしてもよい。非接触通信回路部５０２は、生成した直流電流を、電源制御部５０７に供給する。さらに非接触通信回路部５０２は、送信に用いる搬送波を生成する。非接触通信回路部５０２は、制御部５０３が出力したＩＣチップの持つ情報を、生成した搬送波に重畳してアンテナ５０１を介して非接触型リーダライタ装置２へ送信する。電源制御部５０７は搬送波が受信されているときに非接触通信回路部５０２により生成された直流電流を受け、制御部５０３、記憶部５０４、報知制御部５０５および報知部５０６に電流を供給することができる。
【００６１】
報知部５０６が例えばＬＥＤの場合、報知制御部５０５は、制御部５０３が出力した切り替え信号に基づいて、報知部５０６を点灯または消灯するように制御する。または、報知部５０６が、例えば２色ＬＥＤの場合、報知制御部５０５は、制御部５０３が出力した切り替え信号に基づいて、ＬＥＤの点灯する色が変化するように制御する。
報知部５０６は、報知制御部５０５の制御に応じて、点灯または消灯する。本実施形態では、報知部５０６は、例えば単色のＬＥＤである。
【００６２】
図９は、本実施形態に係る報知制御部５０５の一例を説明する図である。図９に示すように、報知制御部５０５は、駆動回路５１０を含んで構成されている。駆動回路５１０は、例えばトランジスタである。駆動回路５１０には、制御部５０３が出力した切り替え信号が入力される。駆動回路５１０は、切り替え信号によりオン状態またはオフ状態に切り替わる。この切り替えに応じて、報知部５０６は、電源制御部５０７から供給される電流が流れて点灯状態と消灯状態とが切り替わる。具体的には、駆動回路５１０がオン状態で報知部５０６が点灯状態となり、駆動回路５１０がオフ状態で報知部５０６が消灯状態となる。なお、報知部５０６がＬＥＤの場合、電流を制御するための抵抗が接続されているが、図９では省略して表している。
【００６３】
以上、説明したように、本実施形態の非接触ＩＣシステムにおいては読み書き可能な非接触ＩＣメディア３と、非接触ＩＣメディア３の情報を読み取る非接触型リーダライタ装置２と、を備え、非接触ＩＣメディア３は、非接触型リーダライタ装置２と協働する処理が完了したか（例えば、非接触型リーダライタ装置２により情報が読み取られ、読み取った情報に基づく処理（ここでは決済に関する処理）が完了したか否か）を報知する報知部５０６を備えている。
【００６４】
次に、非接触型リーダライタ装置２と非接触ＩＣメディア３に取り付けられている回路部５００が行う処理について説明する。
図１０は、本実施形態に係る非接触型リーダライタ装置２と非接触ＩＣメディア３に取り付けられている回路部５００との間で行う処理のシーケンス図である。
【００６５】
非接触ＩＣメディア３が非接触リーダライタ２にかざされていないときは電源制御部５０７には電流が供給されていないため、報知部５０６を制御することはできない。非接触ＩＣメディア３が非接触リーダライタ２にかざされるとアンテナ５０１が搬送波を受信し電源制御部５０７に通電が開始される。通電が開始された後報知制御部５０５の初期化処理によって報知部５０６を初期化された状態にすることができる。初期化された状態で報知部５０６のＬＥＤが消灯された状態が一般的と考えられるが、本実施形態では初期化された状態で報知部５０６のＬＥＤは点灯しているものとする。報知部５０６の初期化状態をこのようにすることで、非接触ＩＣメディア３が搬送波を受信できているかどうかも確認することができる。
【００６６】
（ステップＳ６０１）非接触型リーダライタ装置２の制御部１０４は、非接触ＩＣメディア３がかざされたことを検知するために「カード検知要求コマンド」を送信しつづけている。非接触ＩＣメディア３が非接触型リーダライタ装置２にかざされると、非接触ＩＣメディア３に取り付けられている回路部５００（以下、便宜上、非接触ＩＣメディア３に取り付けられている回路部５００を含めて、非接触ＩＣメディア３という）には、上記したように通電が開始され、報知部５０６のＬＥＤが点灯する。そして、非接触ＩＣメディアに対して送信された「カード検知要求コマンドを受信できる状態になる。
（ステップＳ６０２）非接触ＩＣメディア３に取り付けられている回路部５００の制御部５０３（以下、非接触ＩＣメディア３の制御部５０３という）は、非接触型リーダライタ装置２からのコマンドを受信し、受信したコマンドの種類を判別する。
【００６７】
（ステップＳ６０３）ステップＳ６０２で、受信したコマンドが「カード検知要求コマンド」の場合、非接触ＩＣメディア３の制御部５０３は、応答レスポンスの返送を判断する。
（ステップＳ６０４）非接触ＩＣメディア３の制御部６０３、「カード検知応答」をレスポンスとして非接触型リーダライタ装置２に送信する。
【００６８】
（ステップＳ６０５）非接触型リーダライタ装置２の制御部１０４は、非接触ＩＣメディア３からのカード検知応答の情報を受信する。次に、制御部１０４は、受信したカード検知応答の情報に含まれるデータを検査する。
制御部１０４は、例えば、受信したカード検知応答の情報から、非接触ＩＣメディア３が処理可能な種類のメディアであるかどうかを判別する。
【００６９】
（ステップＳ６０６）非接触型リーダライタ装置２の制御部１０４は、非接触ＩＣメディア３の情報の読み取りが完了したため、）非接触ＩＣメディア３にＬＥＤの点滅を指示するコマンド「ＬＥＤ  点滅開始コマンド」を送信する。
【００７０】
（ステップＳ６０７）非接触ＩＣメディア３の制御部５０３は、非接触型リーダライタ装置２からのコマンドを受信する。次に、制御部２０３は、受信したコマンドの種類を判別する。
（ステップＳ６０８）非接触ＩＣメディア３の制御部５０３は、受信したコマンドが「ＬＥＤ  点滅開始コマンド」の場合、点灯している状態だった報知部５０６が点滅を開始するように制御する。
（ステップＳ６０９）非接触ＩＣメディア３の制御部５０３は、報知部５０６の点滅を開始後、コマンドを実行したことを示す情報「ＯＫ」を、非接触型リーダライタ装置２に送信する。なお、制御部５０３は、コマンドを実行したことを示す情報として、例えば、肯定応答であるＡＣＫ（ＡＣＫｎｏｗｌｅｄｇｅｍｅｎｔ）信号を、非接触型リーダライタ装置２に送信するようにしてもよい。
【００７１】
報知部５０６の点滅により処理の完了が報知され、非接触ＩＣメディア３が非接触型リーダライタ装置２から離されるとアンテナ５０１が搬送波を受信できなくなり電源制御部５０７への通電が終了される。本実施形態では報知部５０６はＬＥＤであるため電流の供給が行われなくなることにより消灯する。
【００７２】
なお、ステップＳ６０１〜Ｓ６０９では、非接触型リーダライタ装置２が、非接触ＩＣメディア３の情報を読み取る前に、報知部２０６のＬＥＤを点灯させておき、処理が完了されると点滅する例を説明したがこれに限られない。例えば、非接触ＩＣメディア３の情報を読み取る前に、報知部２０６を消灯させておき、非接触型リーダライタ装置２からのコマンドに応じて、報知部２０６を点灯させるようにしてもよい。この場合、非接触型リーダライタ装置２の制御部１０４は、ステップＳ６０６（図１０）において、ＬＥＤの点灯を指示するコマンド「ＬＥＤ  ＯＮコマンド」を、非接触ＩＣメディア３に送信する。非接触ＩＣメディア３の制御部５０３は、受信したコマンドに応じて、ＬＥＤを点灯させるようにしてもよい（ステップＳ６０８、図１０）。
【００７３】
或いは、報知部５０６を２色ＬＥＤとし、非接触ＩＣメディア３の情報を読み取る前に、報知部５０６を第１色目の色に点灯させておき、非接触型リーダライタ装置２からのコマンドに応じて、報知部５０６を第２色目の色の点灯に変化させるようにしてもよい。この場合、非接触型リーダライタ装置２の制御部１０４は、ステップＳ６０６（図１０）において、ＬＥＤの点灯色を指示するコマンド「第２色ＬＥＤ  ＯＮコマンド」を、非接触ＩＣメディア３に送信する。非接触ＩＣメディア３の制御部５０３は、受信したコマンドに応じて、ＬＥＤの点灯色を変化させるようにしてもよい（ステップＳ６０８、図１０）。
【００７４】
また本実施形態では非接触リーダライタ２は連続的にカード検知要求を出している例を説明したが、非接触リーダライタ２の入力部１０１（スイッチ等）を操作することにより、非接触ＩＣメディア３がかざされた後、カード検知要求を出すようにしても良い。この場合非接触リーダライタ２に、非接触ＩＣメディア３がかざされただけではアンテナ５０１が搬送波を受信することはなく、カード検知要求が出されたときにアンテナ５０１が搬送波を受信し電源制御部５０７に通電が開始される。通電が開始された後報知制御部５０５の初期化処理によって報知部５０６を初期化された状態にすることができることになる。
【００７５】
次に、非接触型リーダライタ装置２による非接触ＩＣメディア３の情報の読み取り処理について説明する。図１１及び図１２は、非接触型リーダライタ装置２の制御部１０４と非接触ＩＣメディア３の制御部５０３との間の処理のフロー説明するためのシーケンスであり、ここではプリペイド式の決済処理を例に説明する。
【００７６】
ここで、決済処理を行う決済装置５１は、決済処理を制御する上位装置１と、非接触ＩＣメディア３と通信を行う非接触型リーダライタ２と、を含んで構成される。なお、決済装置８００には、あらかじめ決済金額が入力されている。
【００７７】
まず、図１１において、上位装置１は、決済処理を開始すると、カード検知要求コマンドを非接触型リーダライタ２に出力する（ステップＳ７０１）。非接触型リーダライタ２は、入力されたカード検知要求コマンドを非接触ＩＣメディア３へ送信してカードの検知を開始する（ステップＳ７０２）。
【００７８】
非接触ＩＣメディア３が非接触リーダライタ２にかざされるとアンテナ５０１が搬送波を受信し電源制御部５０７に通電が開始される（ステップ７４１）。通電が開始された後報知制御部５０５の初期化処理によって報知部５０６を初期化された状態にする（ステップ７４２）。本実施形態では初期化された状態で報知部５０６のＬＥＤは赤色に点灯するものとする。
これと同時に、非接触ＩＣメディア３が非接触型リーダライタ２にかざされると、非接触ＩＣメディア３の制御部５０３は、非接触型リーダライタ装置２からのコマンドを受信する。次に、制御部５０３は、受信したコマンドの種類を判別する（ステップＳ７５１）。ステップＳ７５１で、受信したコマンドが「カード検知要求コマンド」であることを非接触ＩＣメディア３の制御部５０３は判別する。ステップＳ７５１で、受信したコマンドが「カード検知要求コマンド」であることを非接触ＩＣメディア３の制御部５０３は判別し、処理が継続中であることを判断し、報知部５０６の状態を保留する（ステップＳ７５２）。この場合は赤色の点灯のまま変化されないこととなる。
【００７９】
さらに、非接触ＩＣメディア３から非接触型リーダライタ２にカード検知コマンドレスポンスが送信される（ステップＳ７０３）。カード検知コマンドレスポンスを受信すると、非接触型リーダライタ２は、そのカード検知コマンドレスポンスを上位装置１に出力する（ステップＳ７０４）。カード検知コマンドレスポンスが入力されると、上位装置１は、次に残高情報の取得処理を行う。つまり、上位装置１は、カード残高情報取得要求コマンドを非接触型リーダライタ２へ出力する（ステップＳ７０５）。カード残高情報取得要求コマンドが入力されると、非接触型リーダライタ２は、非接触ＩＣメディア３へそのカード残高情報取得要求コマンドを送信する（ステップＳ７０６）。
【００８０】
カード情報取得要求コマンドを受信すると、非接触ＩＣメディア３の制御部５０３は、受信したコマンドの種類を判別する（ステップＳ７５３）。ステップＳ７５３で、受信したコマンドが「カード残高情報取得要求コマンド」であることを非接触ＩＣメディア３の制御部５０３は判別し、処理が継続中であることを判断し、報知部５０６を保留する（Ｓ７５４）。この場合は赤色の点灯のまま変化されないこととなる。そして非接触ＩＣメディア３は、残高情報を非接触型リーダライタ２に送信する（ステップＳ７０７）。残高情報には、決済可能な金額である残高金額等が含まれる。非接触型リーダライタ２は、その残高情報を上位装置１に出力する（ステップＳ７０８）。
【００８１】
次に、図１２を参照するが、図１１における上位装置１、非接触型リーダライタ２、非接触ＩＣメディア３の処理は、それぞれ、図１２におけるＡ、Ｂ、Ｃに続くものとする。
上位装置１は、残高情報が入力されると、減算可否判断を行う（ステップＳ７０９）。具体的には、上位装置１は、受信した残高金額が決済金額より大きいか否かを判定する。上位装置１は、残高金額と等しいか、または残高金額の方が大きい場合には残高金額から決済金額を減算して、決済後の残高金額を算出する（ステップＳ７１０）。小さい場合には、決済処理を終了する。次に、上位装置１は、算出した残高金額を含む減算結果書き込み要求コマンドを非接触型リーダライタ２に出力する（ステップＳ７１１）。
【００８２】
非接触型リーダライタ２は、入力された減算結果書き込み要求コマンドを非接触ＩＣメディア３に送信する（ステップＳ７１２）。非接触ＩＣメディア３の制御部５０３は、受信したコマンドの種類を判別する（ステップＳ７５５）。ステップＳ７５５で、受信したコマンドが「減算結果書き込みコマンド」であることを非接触ＩＣメディア３の制御部５０３は判別し、処理が継続中であることを判断し、報知部５０６を保留する（Ｓ７５４）。この場合は赤色の点灯のまま変化されないこととなる。そして受信した残高金額を回路部５００の記憶部５０４に書き込み、書き込みが完了すると、書き込み完了コマンドレスポンスを非接触型リーダライタ２に送信する（ステップＳ７１３）。非接触型リーダライタ２は、その書き込み完了コマンドレスポンスを上位装置１に出力する（ステップＳ７１４）。
【００８３】
書き込み完了コマンドレスポンスが入力されると、上位装置１は、非接触ＩＣメディア３の回路部５００の記憶部５０４に書き込まれた結果を確認するために、カード残高情報取得要求コマンドを非接触型リーダライタ５に出力する（ステップＳ７１５）。カード残高情報取得要求コマンドが入力されると、非接触型リーダライタ２は、そのカード残高情報取得要求コマンドを非接触ＩＣメディア３に送信する（ステップＳ７１６）。
【００８４】
非接触ＩＣメディアの制御部５０３は、受信したコマンドの種類を判別する（ステップＳ７５７）。ステップＳ７５７で、受信したコマンドが「減算結果書き込みコマンド」の後の「カード残高情報取得要求コマンド」であることを非接触ＩＣメディア３の制御部５０３は判別し、処理が完了したことを判断し、報知部５０６の報知を変化させる（Ｓ７５８）。
ここでは処理が完了すると報知部５０６のＬＥＤは青色の点灯に変化することとする。そして、非接触ＩＣメディア３は、残高情報を送信する（ステップＳ７１７）。非接触ＩＣメディア３から残高情報を受信すると、非接触型リーダライタ２は、その残高情報を上位装置１に出力する（ステップＳ７１８）。残高情報が入力されると、上位装置１は、残高確認を行う（ステップＳ７１９）。具体的には、上位装置１は、入力された残高金額と上記ステップＳ７１０で算出した残高金額が等しいか否かの判定を行う。等しい場合には、正常に処理が完了したと判定し、決済処理を完了する（ステップＳ７２０）。
【００８５】
以上のように、非接触ＩＣメディア３の報知部５０６により、非接触ＩＣメディア３内部の処理完了が報知されるため、決済処理中に非接触ＩＣメディア３が非接触型リーダライタ２から取り外されるなどして、非接触ＩＣメディア３と非接触型リーダライタ２との通信が切断された場合においても、非接触ＩＣメディア３内部の処理が完了しているかどうかを確認することができ、決済金額の不整合の発生が起きているかどうかを知ることができる。
【００８６】
なお、ここでは報知部５０６は初期化されるとＬＥＤが赤色に点灯し、処理が完了するとＬＥＤを青色に点灯させた例を説明したがこれに限らない。例えば、初期化時に消灯させ完了時に点灯させるようにさせても良いし、初期化時に点灯させ完了時に点滅させるようにさせても良い。また、ＬＥＤ色にも限定はない。
【００８７】
また、ここでは報知部５０６にＬＥＤを用いた例を説明したが報知部５０６はこれに限るものではない。たとえば電子ペーパーのような記憶型表示デバイスを用い、電源制御部５０７からの電流供給がないときでも表示内容が保持され、非接触ＩＣメディア３が非接触型リーダライタ２にかざされ処理が完了したときにだけ報知部５０６の表示内容を変化（書き換える）こともできる。この場合、報知部５０６に報知する表示内容を非接触ＩＣメディア３の残高情報とすることもできる。
【００８８】
なお、実施形態の説明では、決済処理を例に説明したが、これに限定されるものではない。例えば、定期券、ポイントカード、会員証、社員証等の処理であってもよい。すなわち、非接触ＩＣメディア３に記憶されている情報として、金額に関する情報の他、定期券に関する情報、ポイント情報、会員情報、社員情報等であってもよく、そのような情報を、非接触ＩＣメディア３と非接触型リーダライタ２との間で送受し、非接触型リーダライタ２が何らかの処理を実施する際にも、処理の完了を非接触ＩＣメディア３に報知させるため、本発明を適用することができる。
また、本実施形態の図２、図８の機能の全て、もしくは一部を、図示しないＣＰＵ（中央演算装置）に接続されたＲＯＭ（Ｒｅａｄ  Ｏｎｌｙ  Ｍｅｍｏｒｙ）等に保存されているプログラムにより実行することも可能である。
【符号の説明】
【００８９】
１・・・上位装置、２・・・非接触型リーダライタ、３・・・非接触ＩＣメディア、４・・・決済処理サーバ、５・・・決済情報サーバ、６・・・通信回線、１０１・・・入力部、１０２・・・アンテナ、１０４・・・制御部、１０５・・・表示部、１０７・・・送信回路部、１０８・・・受信回路部、２００・・・回路部、２０１・・・アンテナ、２０２・・・非接触通信回路部、２０３・・・制御部、２０４・・・記憶部、２０５・・・報知制御部、２０６・・・報知部、２０７・・・電源制御部、２０８・・・蓄電機能部、２１０・・・駆動回路、５００・・・回路部、５０１・・・アンテナ、５０２・・・非接触通信回路部、５０３・・・制御部、５０４・・・記憶部、５０５・・・報知制御部、５０６・・・報知部、５０７・・・電源制御部、５１０・・・駆動回路
【図１】
2013218673.tif 000003
【図２】
2013218673.tif 000004
【図３】
2013218673.tif 000005
【図４】
2013218673.tif 000006
【図５】
2013218673.tif 000007
【図６】
2013218673.tif 000008
【図７】
2013218673.tif 000009
【図８】
2013218673.tif 000010
【図９】
2013218673.tif 000011
【図１０】
2013218673.tif 000012
【図１１】
2013218673.tif 000013
【図１２】
2013218673.tif 000014
【図１３】
2013218673.tif 000015